(57)【要約】【課題】庫内灯の緩みを回避する冷却用貯蔵庫を提供すること。【解決手段】支持部材５は変形可能な軟質塩化ビニル樹脂などの軟質合成樹脂材料にて形成され、ソケット本体４に固定され、庫内灯ソケット３に庫内灯２を取り付けた際には、口金２Ａと受金８とが嵌合すると共に、庫内灯２の一部が支持部材５により覆われる。そして、庫内灯２が支持部材５に当接し、庫内灯２の外周が支持部材５に密着し、確実に保持され、庫内灯の緩み、がたつきの発生を確実に回避することが可能になる。【選択図】　図３
2004020063.tif 000002
【特許請求の範囲】
【請求項１】
庫内に取り付けられた庫内灯ソケットと、この庫内灯ソケットに取り付けられ支持される庫内灯とを備えた冷却用貯蔵庫において、前記庫内灯ソケットは前記庫内灯の口金が螺合する受金が設けられたソケット本体と、該ソケット本体の先端部に固定され前記庫内灯の外周に接触して保持する軟質材料で形成された支持部材とを備えたことを特徴とする冷却用貯蔵庫。
【請求項２】
可燃性冷媒を冷媒として使用し、庫内に取り付けられた庫内灯ソケットと、この庫内灯ソケットに取り付けられ支持される庫内灯とを備えた冷却用貯蔵庫において、前記庫内灯ソケットは前記庫内灯の口金が螺合する受金が設けられたソケット本体と、軟質材料で形成され前記ソケット本体の先端部に固定された筒状の支持部材とを備え、この支持部材は前記庫内灯の口金を前記受金に螺合させた状態にて前記庫内灯の外周に接触して庫内灯を保持することを特徴とする冷却用貯蔵庫。
【請求項３】
前記支持部材を軟質合成樹脂材料にて形成したことを特徴とする請求項１又は２に記載の冷却用貯蔵庫。
【発明の詳細な説明】
【０００１】
【発明の属する技術分野】
本発明は、恒温庫や家庭用の冷蔵庫などの冷却用貯蔵庫、詳述すれば庫内に取り付けられた庫内灯ソケットと、この庫内灯ソケットに取り付けられ支持される庫内灯とを備えた冷却用貯蔵庫に関するものである。
【０００２】
【従来の技術】
恒温庫や家庭用の冷蔵庫などの冷却用貯蔵庫には、例えば実開平５−７５９８４号公報に記載されているように、庫内灯ソケットが庫内の適所に設けられている。そして、断熱扉の開扉時に点灯する庫内灯の口金が庫内灯ソケットの受金に螺合して取り付けられ、庫内灯装置が構成されている。
【０００３】
【発明が解決しようとする課題】
ところで、上記のような庫内灯装置では、冷却用貯蔵庫の開扉或いは閉扉に伴う振動、冷凍サイクルを構成する圧縮機の運転による振動などにより、受金に対する口金の螺合が緩み、ときに開扉時に庫内灯が点灯しないとう問題が生じる。
【０００４】
また、コンプレッサ、凝縮器及び蒸発器を配管接続して冷媒の循環路を形成して成る冷凍サイクルに可燃性の炭化水素系冷媒である、例えばＨＣ冷媒を使用した冷却用貯蔵庫が増加している。そして、可燃性の冷媒を使用した冷却用貯蔵庫では、冷凍サイクルから冷媒が漏れているときに、庫内灯が緩み、口金と受金との間で火花が発生した場合には、漏れた冷媒への引火の原因になるというおそれもある。
【０００５】
そこで本発明は、上記の点に鑑みなされたものであり、庫内灯の緩みを回避する冷却用貯蔵庫を提供することを目的とする。
【０００６】
【課題を解決するための手段】
このため第１の発明は、庫内に取り付けられた庫内灯ソケットと、この庫内灯ソケットに取り付けられ支持される庫内灯とを備えた冷却用貯蔵庫において、前記庫内灯ソケットは前記庫内灯の口金が螺合する受金が設けられたソケット本体と、該ソケット本体の先端部に固定され前記庫内灯の外周に接触して保持する軟質材料で形成された支持部材とを備えたことを特徴とする。
【０００７】
また第２の発明は、可燃性冷媒を冷媒として使用し、庫内に取り付けられた庫内灯ソケットと、この庫内灯ソケットに取り付けられ支持される庫内灯とを備えた冷却用貯蔵庫において、前記庫内灯ソケットは前記庫内灯の口金が螺合する受金が設けられたソケット本体と、軟質材料で形成され前記ソケット本体の先端部に固定された筒状の支持部材とを備え、この支持部材は前記庫内灯の口金を前記受金に螺合させた状態にて前記庫内灯の外周に接触して庫内灯を保持することを特徴とする。
【０００８】
第３の発明は、第１又は第２の発明において、前記支持部材を軟質合成樹脂材料にて形成したことを特徴とする。
【０００９】
【発明の実施の形態】
以下、本発明の実施の形態を図に基づき説明する。図１は、冷却用貯蔵庫である冷蔵庫の正面図、図２は庫内灯が取付けられていない状態の庫内灯装置の縦断側面図、図３は庫内灯が取付けられた状態の庫内灯装置の縦断側面図である。
【００１０】
先ず、１０１はそれぞれ前面扉が設けられた複数の食品保存室から成る冷蔵庫本体で、外箱と内箱及び両箱間に充填された発泡ウレタン等の断熱材により構成されている。この冷蔵庫本体１の内部は断熱作用のある仕切壁により仕切られ、上部より冷蔵室１０２、野菜室１０３、製氷室１０４及び使用者の選択により例えばマイナス３度Ｃ前後の温度環境（チルドやパーシャル）やマイナス１度Ｃ前後（氷温）の温度環境とすることができる温度切換室１０５、冷凍室１０６を備えており、冷蔵室１０２前面開口は開閉可能な回動式の冷蔵室扉１０７により閉塞可能であり、冷蔵室１０２の下の野菜室１０３、製氷室１０４及び温度切換室１０５、冷凍室１０６は引出し式の野菜室扉１０８、製氷室扉１０９、温度切換室扉１１０、冷凍室扉１１１により夫々閉塞されている。前記の各扉は、夫々鋼板から成る扉外箱と硬質樹脂材料から成る扉内箱との間に発泡ウレタン等の断熱材を充填して構成される。
【００１１】
また、１は冷蔵庫の内部、即ち上記冷凍室及び冷蔵室などに設けられた庫内灯装置であり、この庫内灯装置１は庫内灯２と庫内灯ソケット３とより構成されている。そして、図示しない制御装置によって、冷蔵庫の上記各扉が開いた時にのみ商用電源電圧で駆動されて前記庫内灯２が点灯する。
【００１２】
前記庫内灯ソケット３は、冷蔵庫本体１０１の内箱背壁１１２に取り付けられるソケット本体４と、このソケット本体４に取り付けられ固定された支持部材５とから構成されている。そして、ソケット本体４は、例えば軟質塩化ビニル樹脂などの軟質合成樹脂材料にて形成され、側部には内箱背壁１１２が嵌合する溝６が形成され、庫内灯取付部の凹部７には庫内灯２の口金２Ａと螺合する受金８が設けられている。また、この受金８の内部（図２においては底部）には絶縁部材１０を介して中心接触片１１が取り付けられている。そして、受金８及び中心接触片１１には、それぞれリード線１２及び１３が接続されている。
【００１３】
また、庫内灯取付部には、受金８の内径よりその内径が大きい筒状の先端部である延出片１４が形成されている。
【００１４】
前記支持部材５は僅かに外広がりの筒状であり、変形可能な軟質塩化ビニル樹脂などの軟質合成樹脂材料にて形成され、一方（図２においては下部）に形成された延出片１４への固定部１６と、他方（図２においては上部）に形成された支持部１７とから構成され、固定部１６の内壁には突条１８が形成されている。そして、固定部１６が延出部１４の外周を覆った状態で、例えば接着剤にて延出部１４に確実に固定されている。このため、庫内灯２の庫内灯ソケット３への着脱による支持部材５のソケット本体４からの外れは回避される。
【００１５】
以上のように構成された庫内灯ソケット３に庫内灯２を取り付けた際には、口金２Ａと受金８との嵌合により、口金２Ａの先端の端子２Ｃと中心接触片１１とが接触し、また庫内灯２の発光部を覆う透明な被覆体２Ｂのほぼ１／３が支持部材５により覆われる。
【００１６】
そして、被覆体２Ｂが延出片１４の上端部１５に当接し、上端部１５が外側に変形し、この上端部１５が突条１８より外側に位置してこの突条１８により支持され、被覆体２Ｂの外周が上端部１５に密着し、上端部１５から被覆体２Ｂへの反発力も発生する。このため、被覆体２Ｂと上端部１５との密着力は一層増加する。また、被覆体２Ｂ外周部の受金８寄りの部分の全周が支持部１７に覆われて密着して（接触して）保持される。
【００１７】
このため、庫内灯ソケット３による庫内灯２の保持力が増加し、庫内灯２に対する庫内灯ソケット３による保持が確実になり、庫内灯２を緩めるために或いは取付けの際に締め付けるために必要なトルクが増加する。前記冷蔵室扉１０７などの開閉による振動、または冷凍サイクルの運転による振動が庫内灯ソケット３に伝わって庫内灯ソケット３又は庫内灯２が振動した場合にも、この振動により庫内灯２が回転することを防止することができ、また庫内灯２が回転した場合にも、この回転を極力僅かに抑えることができ、庫内灯２のがたつきも防止できる。
【００１８】
この結果、庫内灯２が庫内灯ソケット３に対して緩むことを回避でき、口金２Ａと中心接触片１１との接触、即ち口金２Ａの先端の端子２Ｃとの接触を確実に保つことができ、可燃性の冷媒を使用している冷蔵庫において、口金２Ａと中心接触片１１との接触が不確実になったとき発生する恐れがある火花の発生を確実に回避することができる。
【００１９】
さらに、例えば、「日本電機工業会、自主基準、炭化水素系冷媒適用冷蔵庫の安全性及び一般要求事項」に規定されている「１．０±０．１Ｎｍのトルクでランプソケットに差込み、それから１５°まで回して部分的に戻し、その後この口金を取り除くのに必要なトルクは、０．３±０．１Ｎｍ以上とする。」という要求事項を満たすことができる。
【００２０】
さらに、庫内灯２が支持部材５の上端部１５と密着しているので、庫内灯周囲の気体が口金２Ａ側、即ち凹部７内に流れることを確実に防止でき、可燃性の炭化水素系の冷媒を冷蔵庫に使用した場合にも、上記火花の発生を一層確実に回避できる。
【００２１】
なお、従来から使用されているソケット本体４に支持部材５を取付け固定することで庫内灯ソケット３を構成することができ、ソケット本体４及び庫内灯２に従来のものを兼用することができる。
【００２２】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００２３】
【発明の効果】
以上のように本発明は、庫内灯が緩み、がたつきが発生することを確実に回避できる冷却用貯蔵庫を提供することができる。
【００２４】
また、可燃性の冷媒を使用した場合にも火花の発生を回避でき、安全性を向上した冷却用貯蔵庫を提供することができる。
【図面の簡単な説明】
【図１】冷蔵庫の正面図である。
【図２】庫内灯が取付けられていない状態の庫内灯装置の縦断側面図である。
【図３】庫内灯が取付けられた状態の庫内灯装置の縦断側面図である。
【符号の説明】
１　　　　　　　庫内灯装置
２　　　　　　　庫内灯
２Ａ　　　　　　口金
３　　　　　　　庫内灯ソケット
４　　　　　　　ソケット本体
５　　　　　　　支持部材
８　　　　　　　受金
１０１　　　　　冷蔵庫本体
【図１】
2004020063.tif 000003
【図２】
2004020063.tif 000004
【図３】
2004020063.tif 000005